(57)【要約】【課題】座っているだけで、骨格の位置を元に戻し、筋肉の緊張を緩和すると共に、呼吸、血流及び自律神経の作用等を調整する効果を有するリラックス用椅子を提供する。【解決手段】リラックス用椅子１０は、着座者の臀部から下腿部の少なくとも一部までを、膝が伸びた状態で略水平に支持する座面１２と、１３５°±５°の開角をなすよう座面１２の後側から延びるバックレスト１３と、バックレスト１３の両側に設けられ、上腕部が４５°から９０°外転した位置で着座者の肘を支持し、肘がほぼ直角に曲がり、前腕部手首側が前方を向き、水平面と４５°±１０°の角度をなし、前上がりとなる状態で、着座者の前腕部を支持するアームレスト１５と、バックレスト１３との距離を調節可能で、着座者の足底を座面１２に対し略垂直に支持するフットレスト１４を有する。【選択図】図１
2020018414.tif 000002
【特許請求の範囲】
【請求項１】
着座者の臀部から下腿部の少なくとも一部までを、膝が伸びた状態で略水平に支持する座面と、
前記着座者の大腿骨と脊椎とが、１３５°±５°の開角をなすように、前記着座者の腰部から後頭部までを支持するよう前記座面の後側から延びるバックレストと、
前記バックレストの両側に高さが調節可能に設けられ、前記着座者の上腕部が４５°から９０°外転した位置で前記着座者の肘を支持し、前記着座者の肘がほぼ直角に曲がり、前記着座者の前腕部手首側が前方を向き、水平面と４５°±１０°の角度をなし、肘側から手首側に向かって前上がりとなる状態で、前記着座者の前腕部を支持するアームレストと、
前記バックレストとの距離を調節可能で、前記着座者の膝が伸びた状態で、前記着座者の足底を、前記座面に略垂直に支持するフットレストを有し、
前記座面には、前記着座者の上腿部及び臀部を支持するための凹部が設けられていることを特徴とするリラックス用椅子。
【請求項２】
前記座面と前記バックレストとが、１３５°±５°の開角をなすことを特徴とする請求項１に記載のリラックス用椅子。
【請求項３】
前記座面、前記バックレスト及び前記アームレストが、着座者の体重により変形しない材料により構成されていることを特徴とする請求項１又は２に記載のリラックス用椅子。
【発明の詳細な説明】
【技術分野】
【０００１】
本発明は、座っているだけで、重力等の影響を半減し、骨格のずれや筋肉の緊張を緩和すると共に、上肢の重力の影響も半減することで、呼吸や血流を改善し、またふくらはぎのポンプ機能を改善する効果を有するリラックス用椅子に関する。
【背景技術】
【０００２】
いかなる姿勢を取っているときにも、人体は重力の作用を受けており、身体の各部にかかる重力の偏り等に起因して、骨格のずれやそれに起因する筋肉の部分的な緊張が生じている。従来のリクライニング式の安楽椅子は、身体を横たえた状態で重力の作用及び身体各部の部分的な緊張状態を緩和しようとするものであるが、長時間着座していると、身体の各部にかかる重力の不均一さやそれに伴う鬱血等により、疲労や筋肉の部分的な緊張を生じることがあった。
【０００３】
着座時の身体にかかる局所的な負担を緩和するための椅子に関する技術として、例えば、特許文献１には、上半身の体重を腰部に負担させずに姿勢を矯正し、内臓の働きを活発にする椅子形健康矯正具として、椅子の座席の両側部に、上端が着座者の脇下高さに達する側部縦パイプを直立状態に固着し、その側部縦パイプ上端に幅広に形成した腕載せ板をその内側辺縁が前記側部縦パイプより内側に突出させた状態でヒンジを介して上下回動可能に取付けるとともにその外側辺縁付近が、前記側部縦パイプの外側に支設した伸縮手段を備える支持パイプで傾斜調節可能に支持し、また椅子の背面部の両側に上端が着座者の頭部高さに達する背部縦パイプを直立状態に固着し、両背部縦パイプの上端部間に後頭部当接部を設け、その後頭部当接部を挟む背部縦パイプより前方に向けて支持アームを突出固定し、両支持アームの先端部間に顎載せ枠を前後スライド調整可能に架橋した椅子型健康矯正具が開示されている。
【０００４】
また、特許文献２には、作業者の両脇下に調節可能な脇支持部材を備え、作業者の心身の疲労及び不快感を軽減する作業用椅子として、事務を行う作業者が腰掛け可能な座部と、該座部の両側上方に配置され、該作業者の両脇下をそれぞれ支えることが可能な第１及び第２の脇支持部材とを有する作業用椅子であって、前記第１及び第２の脇支持部材はその高さ及び幅が前記作業者の脇下に合わせて調節可能であることを特徴とする作業用椅子が開示されている。
【０００５】
特許文献３には、座っていながらにして、腰への負担を減らして背筋を伸ばし、さらに指圧・マッサージと保温効果をもたらす腰痛治療用の座椅子として、背凭れに指圧・マッサージ手段及び保温装置を内蔵するとともに該背凭れの両側部に上下調節手段を備えた脇掛けを設け、背凭れの直下部位の座部部分内に座部の落し込み手段を設け、該落し込み手段の操作ハンドルを座部外に突設したことを特徴とする腰痛治療用座椅子が開示されている。
【先行技術文献】
【特許文献】
【０００６】
【特許文献１】特開平９−０００５９１号公報
【特許文献２】特開２００６−４２８８４号公報
【特許文献３】特開平１０−３３６３２号公報
【発明の概要】
【発明が解決しようとする課題】
【０００７】
しかしながら、着座するだけで、（１）重力等の影響を半減し、全身の骨格の位置を元に戻すことによる筋肉の緊張の緩和、（２）上肢を体側に外転保持することにより、重力等の影響を半減することによる胸筋、肋間筋の緊張の緩和及び背筋、頚筋の緊張の緩和に伴い、呼吸を楽に大きくする効果、（３）腰部筋、骨盤周囲の筋の緊張の緩和による腹部の血流の改善、（４）呼吸と腹部の血流の改善に伴う自律神経の作用の調整を同時に全て可能にし、全身について一度に重力等の影響を半減させ、筋肉、血流、呼吸まで改善する椅子は、これまで存在しなかった。
【０００８】
本発明はかかる事情に鑑みてなされたもので、座っているだけで、骨格の位置を元に戻し、筋肉の緊張を緩和すると共に、呼吸、血流及び自律神経の作用等を調整する効果を有するリラックス用椅子を提供することを目的とする。
【課題を解決するための手段】
【０００９】
前記目的に沿う本発明は、着座者の臀部から下腿部の少なくとも一部までを、膝が伸びた状態で略水平に支持する座面と、前記着座者の大腿骨と脊椎とが、１３５°±５°の開角をなすように、前記着座者の腰部から後頭部までを支持するよう前記座面の後側から延びるバックレストと、前記バックレストの両側に高さが調節可能に設けられ、前記着座者の上腕部が４５°から９０°外転した位置で前記着座者の肘を支持し、前記着座者の肘がほぼ直角に曲がり、前記着座者の前腕部手首側が前方を向き、水平面と４５°±１０°の角度をなし、肘側から手首側に向かって前上がりとなる状態で、前記着座者の前腕部を支持するアームレストと、前記バックレストとの距離を調節可能で、前記着座者の膝が伸びた状態で、前記着座者の足底を、前記座面に略垂直に支持するフットレストを有し、前記座面には、前記着座者の上腿部及び臀部を支持するための凹部が設けられていることを特徴とするリラックス用椅子を提供することにより上記課題を解決するものである。
【００１０】
本発明に係るリラックス用椅子において、前記座面と前記バックレストとが、１３５°±５°の開角をなしていてもよい。
【００１１】
本発明に係るリラックス用椅子において、前記座面、前記バックレスト及び前記アームレストが、着座者の体重により変形しない材料により構成されていることが好ましい。
【発明の効果】
【００１２】
本発明のリラックス用椅子は、膝が伸びた状態で着座した着座者の大腿骨と脊椎とが、１３５°±５°の開角をなす状態で着座者の下腿部から臀部、腰部及び後頭部までを支持するように座面とバックレストの開角を設定することにより、座っているだけで、骨格の位置を元に戻し、全身の筋肉の緊張が緩和され、呼吸、血流及び自律神経の作用が改善されることにより、高いリラックス効果を得ることができる。また、着座者の上腕部が４５°から９０°外転した位置で着座者の肘を支持し、着座者の肘がほぼ直角に曲がり、着座者の前腕部手首側が前方を向き、水平面と４５°±１０°の角度をなし、肘側から手首側に向かって前上がりとなる状態で、着座者の前腕部を支持するアームレストがバックレストの両側に高さが調節可能に設けられているため、腕から肩、胸部及び頸部にかけて更に高いリラックス効果を得ることができる。更に、本発明のリラックス用椅子は、バックレストとの距離を調節可能で、着座者の膝が伸びた状態で、着座者の足底を座面に対し略垂直に支持するフットレストを有するため、骨盤周辺、上腿部、脛、ふくらはぎ及び足底等の筋肉の緊張を緩和することにより、下半身についても高いリラックス効果や、脚の筋肉のポンプ機能の改善による血流改善効果を得ることができる。更に、座面に着座者の上腿部及び臀部を支持するための凹部が形成されていることにより、着座時に着座者の腰部や臀部を所定の位置に保持することができ、長時間着座しても無理なく一定の姿勢を保つことができる。そのため、全身の疲労や筋肉の緊張を防ぐことができると共に、呼吸や血流が改善され、自律神経の作用が調整される。
【図面の簡単な説明】
【００１３】
【図１】本発明の一実施の形態に係るリラックス用椅子の側面図である。
【図２】同リラックス用椅子と、着座者の位置関係を示す概略側面図である。
【図３】上腕部の外転角を示す模式図である。
【発明を実施するための形態】
【００１４】
続いて、添付した図面を参照しつつ、本発明を具体化した実施の形態につき説明し、本発明の理解に供する。
【００１５】
図１及び図２に示すように、本発明の一実施の形態に係るリラックス用椅子（以下、単に「リラックス用椅子」と略称する場合がある。）１０は、本体１１と、フットレスト１４からなっている。本体１１には、着座者の臀部から下腿部の少なくとも一部までを、膝が伸びた状態で略水平に支持する座面１２と、着座者の大腿骨と脊椎とが、１３５°±５°の開角をなすように、着座者の腰部から後頭部までを支持するよう座面１２の後側から延びるバックレスト１３と、バックレスト１３の両側に高さが調節可能に設けられ、着座者の上腕部が４５°から９０°外転した位置で着座者の肘を支持し、着座者の肘がほぼ直角に曲がり、着座者の前腕部手首側が前方を向き、水平面と４５°±１０°の角度をなし、肘側から手首側に向かって前上がりとなる状態で、着座者の前腕部を支持するアームレスト１５とを有している。
【００１６】
着座者の大腿骨と脊椎との開角の範囲は、１３５°±５°（１３０°〜１４０°）、好ましくは１３５°±２．５°（１３２．５°〜１３７．５°）である。着座者の大腿骨と脊椎との角度は、１３５°が最良であり、１３５°±２．５°の範囲内であれば、全身の筋肉の緊張状態の緩和という効果の観点からは特に好ましく、１３５°±５°の範囲内であれば、十分な効果を達成することができる。着座者の大腿骨と脊椎との開角が１４０°を超えると、筋肉の緊張緩和の効果が現れるのが上半身のみになり、着座者の大腿骨と脊椎との開角が１３０°を下回ると、筋肉の緊張緩和の効果が現れるのが、腰の周囲から脚のみになる。
【００１７】
座面１２とバックレスト１３の開角は、着座者の大腿骨と脊椎との開角と必ずしも一致しないが、両者はほぼ一致すると仮定した上で、１３５°±５°、好ましくは１３５°±２．５°の範囲に設定してもよい。座面１２及びバックレスト１３の着座面の形状は、平面状であってもよいが、着座者の大腿部及び臀部の形状や脊椎の湾曲に添うように凹凸を設けてもよい。
【００１８】
図１に示すように、バックレスト１３の近傍の座面１２上には、着座者の上腿部及び臀部を支持するための凹部が形成されている。これにより、着座時に着座者の腰部や臀部を所定の位置に保持することができ、長時間着座しても、骨格の位置の矯正や筋肉の緊張の緩和に適した一定の姿勢を無理なく保つことができる。そのため、全身の疲労や筋肉の緊張を防ぐと共に、呼吸や血流の改善、自律神経の作用の調整等が可能になる。凹部の深さは、着座者の坐骨結節を保持できる程度であればよく、例えば、座面１２の脚側の高さに対し３から５ｃｍである。
【００１９】
バックレスト１３の両側には、着座者の上腕部が４５°から９０°外転した位置で着座者の肘を支持し、着座者の肘がほぼ直角に曲がり、着座者の前腕部手首側が前方を向き、水平面と４５°±１０°の角度をなし、肘側から手首側に向かって前上がりとなる状態で、着座者の前腕部を支持するアームレスト１５が設けられている。ここで、「着座者の上腕部が４５°から９０°外転した位置」とは、図３に示す上腕部の外転角（鉛直下向きから側方に挙上した上腕の挙上角）が４５°から９０°となる位置を意味する。アームレスト１５は、上腕部の外転角が４５°から９０°となる位置で肘を支持し、肘がほぼ直角に曲がった（上腕部と前腕部のなす角度がほぼ９０°となった）状態で、かつ前腕部手首側が前を向いた状態で、水平面と４５°±１０°の角度をなし、肘側から手首側に向かって前上がりとなる状態で、着座者の前腕部を支持するよう構成されている。アームレスト１５は、着座者の体格等に合わせて高さを上下に調整できるように設けられている。
【００２０】
上腕部の外転角は、４５°から９０°、好ましくは６０°から９０°、更に好ましくはほぼ９０°である。上腕部をほぼ垂直に挙上した状態でアームレスト１５に支持されるのが、肩及び上腕部の筋肉の緊張を緩和する効果の観点から最も好ましい。アームレスト１５に支持された着座者の前腕部の肘は、ほぼ直角（９０°）に曲がった状態である。また、アームレスト１５に支持された着座者の前腕部の肘から手首が水平面となす角度は、４５°±１０°、好ましくは４５°±５°で、４５°が最も好ましい。アームレスト１５に支持された着座者の前腕部の肘から手首が水平面となす角度が上記範囲内である場合、胸部、上腕部、肘、前腕部及び手の筋肉の緊張緩和、ひいては血流及び呼吸の改善等に関し、高い効果を得ることができる。
【００２１】
リラックス用椅子１０は、上記のアームレスト１５に加え、着座者の前腕部を、前腕部手首側が後方を向き、水平面と４５°±１０°の角度をなし、肘側から手首側に向かって後上がりとなる状態で、着座者の前腕部を保持するグリップ（図示しない）を更に有していてもよい。アームレスト１５に肘を載せた状態で、グリップを両手で保持することにより、前腕部手首側が後方を向き、水平面と４５°±１０°の角度をなし、肘側から手首側に向かって後上がりとなる状態で、着座者の前腕部を保持することができる。
【００２２】
本実施の形態に係るリラックス用椅子１０において、本体１１と別に、バックレスト１３との距離を調節可能で、着座者の膝が伸びた状態で、着座者の足を座面１２に対し略垂直に支持する、すなわち、足底と座面とのなす角度が約９０°（着座者の足首の柔軟性等により、着座者の足底と座面とのなす角度は適宜変化させてもよい。）になるように、着座者の足底を支持するフットレスト１４を有している。着座者の膝が伸びた状態で、足底を座面１２に対し略垂直に支持することにより、骨盤周辺、上腿部、脛、ふくらはぎ及び足底等の筋肉の緊張が緩和され、高いリラックス効果を得ることができる。更に、脚の筋肉のポンプ機能の改善による血流改善効果を得ることもできる。本実施の形態に係るリラックス用椅子１０においては、フットレスト１４が本体とは別個に設けられていることにより、フットレスト１４を移動させることにより、バックレスト１３との距離が調節可能である。
【００２３】
なお、変形例に係るリラックス用椅子において、着座者の踵まで支持できるよう座面を延長し、座面の長手方向に移動可能な足部支持板を設け、バックレストとの距離が調整可能なフットレストとしてもよい。
【００２４】
リラックス用椅子１０の製造に用いられる材料、製造方法に特に制限はなく、形状に関しても、図１に記載のものに特に制限されない。座面１２及びバックレスト１３は、着座者の体重により変形しない材料により構成されていることが好ましい。
【００２５】
例えば、本体１１、フットレスト１４、アームレスト１５を、図１に示す側面形状を有する段ボールを貼り合わせることにより構成してもよい。
【実施例】
【００２６】
次に、本発明の作用効果を確認するために行った実施例について説明する。
図１に記載のリラックス用椅子に所定時間着座してもらった複数の被験者について、着座の前後の身体状態の変化を調べた。
【００２７】
身体状態としては、腰部及び頸部の前屈、後屈、側屈及び捻転の容易さの検査、頭部、頸部、上腕部、手首、大腿部及び足首の周囲長の測定、重心テスト（被験者に、両腕を下向きに垂らした状態で、体の前側又は後ろ側で両手の指を組んでもらい、組んだ両手を垂直下向きに引っ張った際の重心の安定度、或いは両腕を体側に沿って下向きに垂らしてもらい、肘を垂直下向きに引っ張った場合の重心の安定度を確認する。）を行った。
【００２８】
ほぼ全ての被験者について、着座により、腰部及び頸部の前屈、後屈、側屈及び捻転の容易さが改善されていることが確認された。この結果は、着座により、全身の筋肉の緊張状態が緩和され、非対称な筋肉の緊張や凝りが緩和された結果、腰部及び頸部の運動機能及び可動域が改善されたことを示唆している。
【００２９】
また、ほぼ全ての被験者について、着座により、頭部、頸部、上腕部、手首、大腿部及び足首の周囲長が変化した。特に頭部の周囲長の変化が顕著であり、０．５ｃｍから１ｃｍ程度の増大又は減少が観測された。頭部の周囲長の変化は、呼吸や血流の改善等に起因すると考えられる。周囲長の変化が起こる部位、変化の程度は被験者によりまちまちであるが、着座前に筋肉の緊張やむくみの生じていた部位が被験者毎に異なっていること等に起因すると考えられる。
【００３０】
同様に、ほぼ全ての被験者について、着座により、重心テストの結果が有意に改善された。この結果は、着座により、全身の筋肉の緊張状態が緩和されたことにより、神経などの反射作用が優位になったことにより、重心の安定度が改善されたことを示唆している。
【符号の説明】
【００３１】
１０：リラックス用椅子
１１：椅子本体
１２：座面
１３：バックレスト
１４：フットレスト
１５：アームレスト
【図１】
2020018414.tif 000003
【図２】
2020018414.tif 000004
【図３】
2020018414.tif 000005